(57)【要約】【課題】水洗式便器の洗浄ハンドルのスペース上の制約を考慮しつつ、洗浄スイッチに各種機能を搭載する。【解決手段】洗浄スイッチ１１０に内蔵される受信部は、水洗式便器を制御するための無線信号を受信する。受信部はスイッチ本体の上面に設置される。受信部は、洗浄スイッチ１１０の固定部材に取り付けられる。ハンドル１１８は、固定部材に対して回転可能に取り付けられ、その回転運動が水洗式便器の内部の洗浄制御機構に伝えられる。洗浄スイッチ１１０には表示部も内蔵され、表示部は、水洗式便器の制御状態を表示する。表示部は、スイッチ本体の前面に設置される。表示部も、洗浄スイッチ１１０の固定部材に取り付けられる。【選択図】図２
2019183643.tif 000002
【特許請求の範囲】
【請求項１】
水洗式便器を洗浄操作するために、前記水洗式便器に取り付けられるスイッチであって、
前記水洗式便器の制御状態を表示する表示部と、
前記水洗式便器の内部の洗浄制御機構に洗浄指示を伝える洗浄操作部とを備え、
前記表示部は、画像を前記洗浄操作部を透過させて表示することを特徴とする洗浄スイッチ。
【請求項２】
前記水洗式便器に設けられる部材を備え、
前記洗浄操作部は、前記部材に取り付けられ、
前記表示部は、前記部材に取り付けられ、
前記洗浄操作部の一部は、前記部材を収容することを特徴とする請求項１に記載の洗浄スイッチ。
【請求項３】
前記表示部は、前記水洗式便器の点検要否を前記制御状態として表示することを特徴とする請求項１または２に記載の洗浄スイッチ。
【請求項４】
前記表示部は、複数のアイコンの表示状態により、２値情報として複数種類の制御状態を示すことを特徴とする請求項１から３のいずれかに記載の洗浄スイッチ。
【請求項５】
前記水洗式便器を無線制御するための無線信号を受信する受信部、を更に備えることを特徴とする請求項１から４のいずれかに記載の洗浄スイッチ。
【請求項６】
前記洗浄操作部は、つまみとなる操作部を備え、
前記表示部は、スイッチ本体において前記操作部とは別の箇所に前記制御状態を表示する請求項１から５のいずれかに記載の洗浄スイッチ。
【請求項７】
前記洗浄操作部は、ボタンを備え、
前記表示部は、スイッチ本体において前記ボタンとは別の箇所に前記制御状態を表示する請求項１から５のいずれかに記載の洗浄スイッチ。
【請求項８】
前記表示部は、複数のアイコンを表示し、
前記複数のアイコンは、上下に並ぶようにスイッチ本体の前面に表示される請求項１から７のいずれかに記載の洗浄スイッチ。
【請求項９】
水洗式便器を洗浄操作するために、前記水洗式便器に取り付けられるスイッチであって、
前記水洗式便器の制御状態を表示する表示部と、
前記水洗式便器の内部の洗浄制御機構に洗浄指示を伝える洗浄操作部とを備え、
前記洗浄操作部は、つまみとなる操作部を備え、
前記表示部は、スイッチ本体において前記操作部とは別の箇所に前記制御状態を表示することを特徴とする洗浄スイッチ。
【請求項１０】
水洗式便器を洗浄操作するために、前記水洗式便器に取り付けられるスイッチであって、
前記水洗式便器の制御状態を表示する表示部と、
前記水洗式便器の内部の洗浄制御機構に洗浄指示を伝える洗浄操作部とを備え、
前記洗浄操作部は、ボタンを備え、
前記表示部は、スイッチ本体において前記ボタンとは別の箇所に前記制御状態を表示することを特徴とする洗浄スイッチ。
【請求項１１】
水洗式便器を洗浄操作するために、前記水洗式便器に取り付けられる請求項１から１０のいずれかに記載の洗浄スイッチを備えることを特徴とする水洗式便器。
【発明の詳細な説明】
【技術分野】
【０００１】
本発明は、水洗式便器、特に、水洗式便器の洗浄操作を行うための洗浄スイッチに関する。
【背景技術】
【０００２】
一般的な水洗式便器の側面には、洗浄スイッチが取り付けられている。ユーザが洗浄スイッチを手動操作すると、水洗式便器が内蔵する洗浄制御機構により、便鉢部に洗浄水が吐水される。洗浄スイッチには、ハンドル式やプッシュボタン式などさまざまなタイプがある。
【０００３】
特許文献１は、手動操作用ハンドル４２（洗浄スイッチ）の台座部分（ハウジング１８）に受光部２２が内蔵される構造を開示する（特許文献１の図１〜図３参照）。受光部２２がリモコン３６等から光信号を受信すると、便鉢洗浄が実行される。また、特許文献１は、ハウジング１８ではなく手動操作用ハンドル４２（洗浄スイッチ）のツマミに受光部２２を内蔵する構造についても開示している（特許文献１の図４参照）。
【先行技術文献】
【特許文献】
【０００４】
【特許文献１】実開平７−４５７２号公報
【発明の概要】
【発明が解決しようとする課題】
【０００５】
手動操作用ハンドル４２の台座に受光部２２を設ける構造の場合、比較的大きなハウジング１８を取り付ける必要がある。大きなハウジング１８は、水洗式便器のデザインへの影響が大きい。また、手動操作用ハンドル４２のツマミは一般的には小さいため、ここに受光部２２を取り付けるのはスペース上の制約が大きい。ツマミはユーザが触る箇所であるため、手垢等によって汚れると受光感度が悪くなる可能性もある。
【０００６】
本発明は、上記課題認識に基づいてなされたものであり、その主たる目的は、水洗式便器の洗浄スイッチの内部スペースの制約を考慮しつつ、洗浄スイッチで無線信号を高感度にて受信するための技術、を提供することにある。
【課題を解決するための手段】
【０００７】
本発明のある態様における洗浄スイッチは、水洗式便器を洗浄操作するために、水洗式便器に取り付けられ、水洗式便器を制御するための無線信号を受信する受信部、を備える。受信部は、スイッチ本体の上面に設置される。
【０００８】
本発明のある態様における水洗式便器は、洗浄スイッチを備える。洗浄スイッチにおいては、水洗式便器を制御するための無線信号を受信する受信部がスイッチ本体の上面に設置されてもよい。
【０００９】
本発明の別の態様における洗浄スイッチは、水洗式便器を洗浄操作するために、水洗式便器に取り付けられ、水洗式便器の制御状態を表示する表示部、を備える。
【００１０】
本発明の別の態様における水洗式便器は、洗浄スイッチを備える。洗浄スイッチにおいては、水洗式便器の制御状態を表示する表示部が設置される。
【発明の効果】
【００１１】
本発明によれば、洗浄スイッチの内部スペースを有効に活用しつつ、洗浄スイッチにて無線信号を高感度にて受信しやすくなる。
【図面の簡単な説明】
【００１２】
【図１】第１，２実施形態における水洗式便器の斜視図である。
【図２】第１実施形態における洗浄スイッチの外観斜視図である。
【図３】第１実施形態における洗浄スイッチの分解斜視図である。
【図４】水洗式便器の機能ブロック図である。
【図５】第１実施形態における洗浄スイッチの側面図である。
【図６】第１，第２実施形態における水洗式便器の外観側面図である。
【図７】第１実施形態における洗浄スイッチのうち固定部の分解斜視図である。
【図８】第１実施形態における洗浄スイッチの断面図である。
【図９】第２実施形態における洗浄スイッチの外観斜視図である。
【図１０】第２実施形態における洗浄スイッチの分解斜視図である。
【図１１】第２実施形態における洗浄スイッチのうち固定部の分解斜視図である。
【図１２】第３実施形態における水洗式便器の斜視図である。
【図１３】第３実施形態における洗浄スイッチの外観斜視図である。
【図１４】第３実施形態における洗浄スイッチの分解斜視図である。
【図１５】第３実施形態における遮光ケースの外観斜視図である。
【発明を実施するための形態】
【００１３】
以下、第１〜第３実施形態に基いて、水洗式便器１００、特に、洗浄スイッチ１１０を中心として説明する。第１〜第３実施形態を特に区別しないときには、「本実施形態」とよぶ。第１実施形態に対応する部材には、洗浄スイッチ１１０ａのように符号に「ａ」を添えて表記する。第２実施形態については「ｂ」、第３実施形態については「ｃ」を添えて表記する。各実施形態について共通する部材、あるいは、各実施形態において特に区別する必要がないときにはａ〜ｃの添字は表記しない。本実施形態における洗浄スイッチ１１０（洗浄スイッチ１１０ａ〜１１０ｃ）は、いずれも、受信部と表示部の双方を備えている。
【００１４】
［第１実施形態］
図１は、第１実施形態における水洗式便器１００ａの斜視図である。
第１実施形態の水洗式便器１００ａは、便器本体部１０４、タンク１０６および手洗台１０８を含む。手洗台１０８は、ユーザが用便後に手を洗うための台である。タンク１０６の側面には洗浄スイッチ１１０ａが設置される。タンク１０６は洗浄水を貯水する。ユーザが洗浄スイッチ１１０ａをｙ軸（図１参照）を回転軸として回転させると、タンク１０６の洗浄水が便器本体部１０４の便鉢内に吐水され、便鉢内の汚物が下水管に押し出される。
【００１５】
水洗式便器１００ａは、局部洗浄機能や温風機能、脱臭機能などさまざまな付属機能を備える。水洗式便器１００ａはそのために制御部（電気回路）を内蔵する（図４に関連して後述）。トイレルームの壁にはリモートコントローラー１０２が設置される。ユーザがリモートコントローラー１０２を操作すると、リモートコントローラー１０２から水洗式便器１００ａに制御信号（無線信号）が送信される。本実施形態においては、赤外線信号として制御信号が送信される。水洗式便器１００ａが制御信号を受信すると、制御部は制御信号に応じた各種処理を実行する。
【００１６】
ユーザが、リモートコントローラー１０２の局部洗浄ボタンを押下すると、局部洗浄を指示する制御信号が水洗式便器１００ａに送信され、水洗式便器１００ａの制御部は、局部洗浄水用タンク（不図示）の洗浄水を局部洗浄機器（不図示）から吐水させる。同様に、ユーザがリモートコントローラー１０２の洗浄ボタンを押下すると、水洗式便器１００ａの制御部はタンク１０６ａと吐水管（不図示）とを連通させて、タンク１０６の洗浄水を便鉢内に吐水させる。このように、便鉢洗浄に際しては、ユーザは洗浄スイッチ１１０ａを回転させてもよいし、リモートコントローラー１０２の洗浄ボタンを押下してもよい。
【００１７】
本実施形態の水洗式便器１００は、いずれも洗浄スイッチ１１０（１１０ａ〜１１０ｃ）が内蔵する受信部（図４に関連して後述）により、リモートコントローラー１０２からの制御信号を受信する。必須ではないが、洗浄スイッチ１１０あるいは水洗式便器１００は送信部を備えてもよい。この場合、水洗式便器１００の各種制御状態を示す情報（以下、単に「状態情報」とよぶ）がリモートコントローラー１０２に送信され、リモートコントローラー１０２において状態情報を画面表示してもよい。
【００１８】
図２は、洗浄スイッチ１１０ａの外観斜視図である。図３は、洗浄スイッチ１１０ａの分解斜視図である。
洗浄スイッチ１１０ａは、ハンドル１１８ａ（洗浄操作部）、固定部１１２ａ、クリップ１２２ａおよびハンドル軸１２４ａを含む。本実施形態における「スイッチ本体」は、主として、ハンドル１１８ａと固定部１１２ａの２つのパーツによって形成されるが、少なくとも固定部１１２ａのようにハンドル１１８ａなどの操作部材を水洗式便器１００ａに接続する部材であればよい。固定部１１２は、内固定部１１４ａと外固定部１１６ａを有する。内固定部１１４ａは、水洗式便器１００ａ（タンク１０６）に内蔵され、クリップ１２２ａにより支持される。このように、固定部１１２ａは、タンク１０６の側壁に固定される。
【００１９】
ハンドル軸１２４ａは、固定部１１２ａを貫通し、ハンドル１１８ａに接続される。ユーザは、ハンドル１１８ａの操作部１２０（つまみ）をつまんでハンドル１１８ａを回転させる。ハンドル１１８ａが回転すると、ハンドル軸１２４ａも回転する。ハンドル軸１２４ａの回転が水洗式便器１００ａ内部の洗浄制御機構に伝わる。たとえば、タンク１０６内部のフラッパー弁が引き上げられることで、タンク１０６の洗浄水が便器本体部１０４に流れ込む。ハンドル軸１２４ａの回転力によって操作される洗浄制御機構は、一般的な水洗式便器で使用される機構と同様のものでよい。
【００２０】
外固定部１１６ａは、表示部と受信部を内蔵する。受信部は、リモートコントローラー１０２の制御信号（赤外線）を受信する受光素子１５２である。受信部は、外固定部１１６ａの上面に内蔵される。表示部および受信部の構造および位置については、図５，８に関連して後に詳述する。
【００２１】
表示部は、外固定部１１６ａの前面に４つのアイコン１２６を点灯表示させる。ここでいう「前面」とは、水洗式便器１００ａの前方の面であり、図２，３のｘ軸正方向をおおむね法線方向とする面である。４つのアイコン１２６は、それぞれ、電源投入されているか否か（以下、単に「電源状態」とよぶ）、節電モードか否か（以下、単に「節電設定」とよぶ）、プラズマクラスターイオン（登録商標）の発生モードか否か（以下、単に「イオン設定」とよぶ）、点検の要否（以下、単に「点検要否状態」とよぶ）を示す。
【００２２】
イオン設定がオンのときには、たとえば、６０分に１回といった所定の頻度で水洗式便器１００は所定の射出口から定期的にプラズマクラスターイオン（登録商標）を発生させる。プラズマクラスターイオン（登録商標）は、空気中の不純物（ウィルスやカビ、臭気原因物質）等を除去する効果があるといわれる。
【００２３】
水洗式便器１００に内蔵される制御部は、プラズマクラスターイオン（登録商標）は発生しない、制御信号を受信できていないなど、なんらかの異常を自己判定する。異常検出されたとき、点検が必要として、点検要否状態をオンに設定する。このとき、点検要否状態に対応するアイコン１２６が点灯する。
各アイコン１２６の表示状態により、これら２値の状態情報がシンボライズされて示される。表示状態として、点灯、消灯のほか、点滅や表示色の変化であってもよい。
【００２４】
図４は、水洗式便器１００の機能ブロック図である。
水洗式便器１００の制御部１２８は、電子回路やメモリ、メモリにロードされた本図の構成要素を実現するプログラム、そのプログラムを格納する記憶ユニット等の組み合わせによって実現される。
【００２５】
図４では、水洗式便器１００を水洗式便器主要部１３６と洗浄スイッチ１１０に分けている。水洗式便器主要部１３６は、図１でいえば便器本体部１０４、タンク１０６および手洗台１０８に対応する。水洗式便器主要部１３６は、制御部１２８と洗浄制御機構１３０を含む。制御部１２８は、ユーザからの指示に応じて、洗浄水の吐水、プラズマクラスターイオン（登録商標）の発生、局部洗浄、温風発生、故障点検など各種機能を制御する。
【００２６】
洗浄スイッチ１１０を手動操作すると、洗浄スイッチ１１０の動きがハンドル軸１２４を介して洗浄制御機構１３０に伝わり、タンク１０６の洗浄水が便器本体部１０４の便鉢内部に吐水される。洗浄制御機構１３０は、洗浄スイッチ１１０ａの動作をタンク１０６の開栓・閉栓動作に変換できる機構であればよい。
【００２７】
洗浄スイッチ１１０は、受信部１３２と表示部１３４を含む。受信部１３２は、リモートコントローラー１０２からの制御信号を受信する。受信部１３２ではなく、送信機能を備える通信部（受信部および送信部）として形成されてもよい。この場合には、通信部は、リモートコントローラー１０２に状態情報を送信してもよい。受信部１３２が、洗浄水の吐水を指示する制御信号を受信したときには、制御信号がそのまま洗浄制御機構１３０に送信され、タンク１０６の洗浄水が便器本体部１０４の便鉢内部に吐水される。このように、洗浄スイッチ１１０を直接操作することで便器洗浄できるだけなく、リモートコントローラー１０２を操作することで洗浄スイッチ１１０を直接操作することなく便器洗浄することもできる。
【００２８】
表示部１３４は、制御部１２８から各種状態情報を受信し、各アイコン１２６の点灯・消灯させる。表示部１３４は、表示機能に限らず、音声報知機能等を備えてもよい。水洗式便器主要部１３６は電源と接続され、制御部１２８から受信部１３２および表示部１３４に電力が供給される。そのため、洗浄スイッチ１１０は電池を搭載する必要がない。
【００２９】
図５は、第１実施形態における洗浄スイッチ１１０ａの側面図である。
洗浄スイッチ１１０ａの最上点をＰ１、最前点をＰ２とする。また、洗浄スイッチ１１０ａの回転中心、すなわち、ハンドル軸１２４ａの軸点をＯとする。受信部１３２は、洗浄スイッチ１１０ａの上面に形成される。ここでいう「上面に形成」とは、中心点Ｏに対して、上部１／３（図５の領域Ｒ１）に受信部１３２の一部が少なくとも含まれ、上部１／２（図５の領域Ｒ２）に受信部１３２の全部が含まれることを意味する。受信部１３２は、最上点Ｐ１を含む位置にあることが望ましい。上部１／３（図５の領域Ｒ１）に受信部１３２の全部が含まれてもよい。
【００３０】
表示部１３４は、洗浄スイッチ１１０ａの前面に形成される。ここでいう前面とは、中心点Ｏに対して前面部１／２（図５の領域Ｒ３）を意味し、表示部１３４の全部が領域Ｒ１に含まれる。表示部１３４は、最前点Ｐ２を含む位置にあることが望ましい。第２、第３実施形態における受信部１３２や表示部１３４の洗浄スイッチ１１０における配置についても同様である。
【００３１】
図６は、水洗式便器１００ａの外観側面図である。
リモートコントローラー１０２からの制御信号が洗浄スイッチ１１０ａに到達するコースとして、コースＣ１，Ｃ２が考えられる。
【００３２】
コースＣ１は、リモートコントローラー１０２から洗浄スイッチ１１０ａに制御信号が直進するコースであるが、ユーザの体が邪魔になる可能性がある。コースＣ２では、制御信号が水洗式便器１００ａの天井１３８の点Ｐ３で反射して洗浄スイッチ１１０ａに到達する。
【００３３】
コースＣ２はユーザによって遮蔽されにくい。したがって、水洗式便器１００ａの場合、洗浄スイッチ１１０ａはコースＣ２がメインコースになる。コースＣ２では、制御信号は天井１３８から反射されるため、受信部１３２を洗浄スイッチ１１０ａの上面に形成すれば、受信部１３２は制御信号を受信しやすくなる。
【００３４】
なお、一般的には、リモートコントローラー１０２は洗浄スイッチ１１０ａよりも高い位置に設置されることが多いため、コースＣ１の場合でも、受信部１３２を洗浄スイッチ１１０ａの上面に形成する方が制御信号を受信しやすくなる。
【００３５】
特許文献１は、洗浄スイッチ１１０ａの操作部１２０（ツマミ）に受信部１３２を設ける構成例を示しているが、これでは各伝播コースＣ１，Ｃ２のいずれを想定しても受信感度が低くなってしまうのではないかと考えられる。また、小さな操作部１２０に受信部１３２を形成することは製造が難しいという別の問題もある。
【００３６】
水洗式便器１００本体に受信部１３２を設ける場合、水洗式便器１００を新規設計するごとに受信部１３２の場所を決めなければならない。一方、本実施形態の受信部１３２は、洗浄スイッチ１１０ａの一部として部品化されるため、水洗式便器１００の設計時に受信部１３２の配置を考慮する必要がなくなる。表示部１３４についても同様である。
【００３７】
図７は、洗浄スイッチ１１０ａのうち固定部１１２ａの分解斜視図である。
固定部１１２ａは、内固定部１１４ａ、基板１５４ａ、遮光ケース１５０ａ、表示ケース１４８ａ、表示シート１４６ａを含む。図３の外固定部１１６ａは、基板１５４ａ、遮光ケース１５０ａ、表示ケース１４８ａおよび表示シート１４６ａの集合体である。内固定部１１４ａはタンク１０６の内部にクリップ１２２ａにて固定される。ビス１４４ａは内固定部１１４ａを表示ケース１４８ａ（外固定部１１６ａ）に固定する。
【００３８】
基板１５４ａには、受光素子１５２（受信部１３２）と４つのＬＥＤ（Light Emitting Diode）１５６（照明部）が搭載される。４つのＬＥＤ１５６は、別々の色を有し、それぞれが電源状態、節電設定、イオン設定、点検要否状態に対応する。基板１５４ａは、内固定部１１４ａに収まるように円形状に加工されている。
【００３９】
基板１５４ａのＬＥＤ１５６には遮光ケース１５０ａが被せられる。遮光ケース１５０ａは、隣り合うＬＥＤ１５６の光漏れを防止するために４つのＬＥＤ１５６を仕切る。基板１５４ａと遮光ケース１５０ａは、表示ケース１４８ａに収容され、表示ケース１４８ａの表面に４つのアイコン１２６が描かれた表示シート１４６ａが貼付される。表示ケース１４８は透明な樹脂ケースである。表示シート１４６ａはポリエチレンテレフタレートのフィルムである。
【００４０】
基板１５４ａは、電源線および信号線を介して水洗式便器１００内の制御部１２８と接続される（図４参照）。受光素子１５２が制御信号を受信すると、制御信号が制御部１２８に伝送される。また、制御部１２８は、制御状態を示す状態情報のうち、電源状態等の上記４つの２値情報に応じて、４つのＬＥＤ１５６を選択的に点灯・消灯させる。ＬＥＤ１５６の光は表示ケース１４８ａを透過し、表示シート１４６上のアイコン１２６を輝かせる。
【００４１】
図８は、第１実施形態における洗浄スイッチ１１０ａの断面図である。
タンク１０６のタンク壁１６０に内固定部１１４ａが固定され、内固定部１１４ａに表示ケース１４８ａ等の外固定部１１６ａが固定される。内固定部１１４ａと表示ケース１４８ａの間にはＯリング１５８が挟まれる。内固定部１１４ａは、更に、クリップ１２２ａで支持される。外固定部１１６ａには受光素子１５２等の各種電子部品が収容される。
【００４２】
内固定部１１４ａおよび表示ケース１４８ａを貫通するハンドル軸１２４ａには、ハンドル１１８ａが接続される。表示ケース１４８ａとハンドル１１８ａの継ぎ目にはギャップＧができる。デザイン上の一体感を維持するためには、このギャップＧがなるべく小さくなるように加工されることが望ましい。
【００４３】
本実施形態においては、電源状態や節電設定といった４つの重要かつ基本的な状態情報が、ユーザがトイレルームに入った時に真っ先に視認しやすくなるように洗浄スイッチ１１０ａに集約されている。洗浄スイッチ１１０の表示部１３４は、リモートコントローラー１０２に形成される表示画面よりも小さい代わりに、ユーザの目につきやすい場所にある。本実施形態においては、洗浄スイッチ１１０に、重要な状態情報（２値情報）を、アイコン１２６の点灯・消灯にて、単純かつ視認しやすい形式で示すことができる。
【００４４】
また、受信部１３２は、受信感度を高めるため、洗浄スイッチ１１０の上部に形成される。表示部１３４は、視認性を高めるため、洗浄スイッチ１１０の前面に形成される。お互いに最適な配置場所が異なるため、小さな洗浄スイッチ１１０に受信機能と表示機能を合理的に共存させることができる。更に、これらの電子部品は水洗式便器１００か供給される電力で駆動されるため、洗浄スイッチ１１０に電池を搭載する必要がない。そのため、一般的な洗浄スイッチに比べて、本実施形態の洗浄スイッチ１１０が特に大きくなるということもない。
【００４５】
更に、ユーザの指が触れる操作部１２０には受信部１３２や表示部１３４等を搭載していない。このため、操作にともなう負荷が受信部１３２や表示部１３４等に伝わりにくい。また、手垢の付着によって受信感度が低下したり、表示が見えにくくなるという弊害も生じにくい。
【００４６】
本実施形態においては、ハンドル１１８、表示ケース１４８およびタンク壁１６０は同系色となっている。このため、タンク１０６と洗浄スイッチ１１０の見た目上の一体感・統一感を保ちやすい。同系色とは、日本色研配色体系（ＰＣＣＳ：Practical Color Co-ordinate System）の２４色相環の同色分類され、かつ、明度および彩度においても同一カテゴリに分類されるものである。無彩色は明度と彩度のみについて同一カテゴリに分類されるものであればよい。
【００４７】
［第２実施形態］
図９は、第２実施形態における洗浄スイッチ１１０ｂの外観斜視図である。
洗浄スイッチ１１０ｂも、第１実施形態の水洗式便器１００ａのタンク１０６に取り付けられる。洗浄スイッチ１１０ｂは、ハンドル１１８ｂが表示ケース１４８ｂを収容することにより、図９に示したギャップＧをなくす点に特徴がある。
【００４８】
図１０は、第２実施形態における洗浄スイッチ１１０ｂの分解斜視図である。
第２実施形態のハンドル１１８ｂは、光の透過性を有し、固定部１１２ｂを内部に収容する。ハンドル１１８ｂの一部には、無線信号（赤外線）を通過させるための受信窓１６４が設けられる。
【００４９】
固定部１１２ｂは、受信部１３２と表示部１３４を内蔵する。固定部１１２ｂはクリップ１２２ｂによりタンク壁１６０に支持される。ハンドル軸１２４ｂは固定部１１２ｂを貫通し、ハンドル１１８ｂと接続される。
【００５０】
図１１は、洗浄スイッチ１１０ｂのうち固定部１１２ｂの分解斜視図である。
第１実施形態と同様、固定部１１２ｂは、内固定部１１４ｂ、基板１５４ｂ、Ｏリング１５８、遮光ケース１５０ｂ、表示ケース１４８ｂ、表示シート１４６ｂを含む。内固定部１１４ｂはタンク１０６の内部にクリップ１２２ｂにより固定される。ビス１４４ｂは内固定部１１４ｂを表示ケース１４８ｂに固定する。
【００５１】
第２実施形態における洗浄スイッチ１１０ｂも、制御方法や基本的な構造は第１実施形態の洗浄スイッチ１１０ａと同様である。第２実施形態の洗浄スイッチ１１０ｂでは、ハンドル１１８ｂに固定部１１２ｂが収容される。固定部１１２ｂの表示シート１４６ｂがＬＥＤ１５６により照射されると、ハンドル１１８ｂの表面を光が透過し、ハンドル１１８ｂの表面にアイコン１２６が浮かび上がるような表示となる。
【００５２】
［第３実施形態］
図１２は、第３実施形態における水洗式便器１００ｃの斜視図である。
第３実施形態の水洗式便器１００ｃは、便器本体にタンクを内蔵せず、洗浄水給水バルブ（不図示）を介して直接取水する。水洗式便器１００ｃの側面には洗浄スイッチ１１０ｃが設置される。
【００５３】
第３実施形態の洗浄スイッチ１１０ｃは、回転式ではなくプッシュ式である。ユーザが洗浄スイッチ１１０ｃのボタンを押下すると、プッシュ信号が発生して水洗式便器１００ｃの洗浄制御機構に伝わり、洗浄水給水バルブが開放されて洗浄水が便鉢内に吐水され、便鉢内の汚物が下水管に押し出される。
【００５４】
第３実施形態の水洗式便器１００ｃも、洗浄スイッチ１１０ｃが内蔵する受信部１３２により、リモートコントローラー１０２からの制御信号を受信する。洗浄スイッチ１１０ｃは、水洗式便器１００ａ，１００ｂと同様、表示部１３４も内蔵する。
【００５５】
図１３は、第３実施形態における水洗式便器１００ｃの外観斜視図である。図１４は、洗浄スイッチ１１０ｃの分解斜視図である。図１５は、水洗式便器１００ｃのうち固定部１１２ｃに内蔵される遮光ケース１５０ｃの外観斜視図である。
第３実施形態における洗浄スイッチ１１０ｃは、ボタン１６６、固定部１１２ｃおよびクリップ１２２ｂを含む。第３実施形態の固定部１１２ｃは、ビス１４４ｃにより水洗式便器１００ｃの側壁部分に第１実施形態と同様のクリップにより直接固定される（図１４参照）。固定部１１２ｃは、基板１５４ｃを含む。第３実施形態の基板１５４ｃは、ＬＥＤ１５６と受光素子１５２に加えて、押下検出器１７０を含む。
【００５６】
ユーザがボタン１６６を押下すると、押下部材１７４が押し下げられ、押下検出器１７０に検出される。押下検出器１７０は、押下検出すると、プッシュ信号を洗浄制御機構１３０に送信する。第３実施形態における洗浄制御機構１３０は、プッシュ信号を受信したとき、洗浄水給水バルブを開放することで便鉢内に洗浄水を吐水させる。スプリング１７２は、ボタン１６６に適度な弾性力・復元力を与える。
【００５７】
基板１５４ｃには、図１５に示す遮光ケース１５０ｃがかぶせられ、遮光ケース１５０ｃは固定部１１２ｃの一部として収容される。遮光ケース１５０ｃの遮光板１６８は、第１実施形態と同様、ＬＥＤ１５６の光漏れを防止する。固定部１１２ｃの上にはアイコン１２６ｃが貼付される。各アイコン１２６ｃが点灯・消灯により、第１実施形態と同様、２値の状態情報がシンボライズされて示される。固定部１１２ｃには表示シート１４６ｃが貼付される。第３実施形態の表示シート１４６ｃも、洗浄スイッチ１１０ｃ本体と同系色であってもよい。
【００５８】
洗浄スイッチ１１０ｃのボタン１６６は、プッシュ式ではなくタッチ式でもよい。また、手をかざすと赤外線等で操作を検知する非接触検出方式でもよい。ユーザの操作を制御部１２８に伝えられればよいため、洗浄スイッチ１１０が可動部を有することは必須ではない。
【００５９】
第３実施形態における洗浄スイッチ１１０ｃは、回転式ではなくボタン式であることを除けば、制御方法や基本的な構造は第１実施形態の洗浄スイッチ１１０ａと同様である。第３実施形態の洗浄スイッチ１１０ｃでも、ボタン１６６にかかる圧力は押下検出器１７０に集中するため、ＬＥＤ１５６や受光素子１５２には操作にともなう負荷がかからない。
【００６０】
以上、第１から第３実施形態に基づいて、水洗式便器１００および洗浄スイッチ１１０の構造を中心として説明した。
洗浄スイッチ１１０に受信部１３２および表示部１３４を内蔵させることで、水洗式便器主要部１３６の電気回路設計をシンプルにできる。また、水洗式便器１００の設計に際して、受信部１３２および表示部１３４のレイアウトを考慮する必要がなくなる。もちろん、水洗式便器１００に追加の受信部や表示部を設けることは可能である。
【００６１】
受信部１３２は受信しやすい上面、表示部１３４は視認しやすい前面に設置されるため、洗浄スイッチ１１０の小さな筐体に二つの機能を合理的に共存させることができる。受信部１３２および表示部１３４はいずれも固定部１１２に設置されているため、洗浄スイッチ１１０の可動や操作にともなう負荷がかかりにくい。
【００６２】
表示部１３４は、水洗式便器１００の状態情報のうち、特に、重要かつ基本的な情報を複数のアイコン１２６により表示させることができる。ユーザは、トイレルームに入ったときに洗浄スイッチ１１０のカラフルなアイコン１２６を確認することで、水洗式便器１００の状態情報を簡単かつ迅速に認識できる。特に、水洗式便器１００の点検要否という重要だが滅多に報知されない情報をユーザに確実に認識させやすくなる。
【００６３】
以上、本発明をいくつかの実施の形態をもとに説明した。これらの実施の形態は例示であり、いろいろな変形および変更が本発明の特許請求範囲内で可能なこと、またそうした変形例および変更も本発明の特許請求の範囲にあることは当業者に理解されるところである。従って、本明細書での記述および図面は限定的ではなく例証的に扱われるべきものである。
【００６４】
以上の記載から、下記の発明が認識される。
水洗式便器を洗浄操作するために、水洗式便器に取り付けられる洗浄スイッチであって、水洗式便器を制御するための無線信号を受信する受信部、を備える。受信部は、スイッチ本体の上面に設置される。
洗浄スイッチの上面に受信部を設けることにより、リモートコントローラなどから送信される無線信号を受信しやすくなる。
【００６５】
水洗式便器に固定される固定部材と、固定部材に取り付けられ、水洗式便器内部の洗浄制御機構に洗浄指示を伝える洗浄操作部と、を更に備えてもよい。受信部は、固定部材に取り付けられてもよい。
受信部を固定部材に取り付けることにより、洗浄操作部の操作にともなう負荷が受信部にかかりにくくなる。
【００６６】
洗浄操作部は、固定部材に対して回転可能に取り付けられ、その回転運動が水洗式便器の内部の洗浄制御機構に伝えられてもよい。
【００６７】
水洗式便器の制御状態を表示する表示部、を更に備えてもよい。表示部はスイッチ本体の前面に設置されてもよい。
受信部に加えて表示部を内蔵することにより、洗浄スイッチに２つの機能を集約させることができる。このため、水洗式便器の電子回路レイアウトの自由度がいっそう高くなる。
【００６８】
水洗式便器を洗浄操作するために、水洗式便器に取り付けられる洗浄スイッチを備える水洗式便器に関する。洗浄スイッチにおいては、水洗式便器を制御するための無線信号を受信する受信部がスイッチ本体の上面に設置される。
【００６９】
水洗式便器を洗浄操作するために、前記水洗式便器に取り付けられる洗浄スイッチにおいて、水洗式便器の制御状態を表示する表示部、を備える。
洗浄スイッチに表示部を設けることにより、水洗式便器の制御状態を確認しやすくなる。
【００７０】
水洗式便器に固定される固定部材と、固定部材に取り付けられ、水洗式便器の内部の洗浄制御機構に洗浄指示を伝える洗浄操作部と、を更に備えてもよい。表示部は、固定部材に取り付けられてもよい。
表示部を固定部材に取り付けることにより、洗浄操作部の操作にともなう負荷が受信部にかかりにくくなる。
【００７１】
洗浄操作部の一部は、固定部材を収容し、表示部は画像を洗浄操作部を透過させて表示してもよい。
固定部材を洗浄操作部に収容するため、固定部材と洗浄操作部の継ぎ目をなくしやすい。固定部材の表示部が画像を洗浄操作部に浮き上がらせてもよい。
【００７２】
表示部は、水洗式便器の点検要否を制御状態として表示してもよい。
水洗式便器の点検が必要な状態にはめったにならないが、点検が必要なときにはユーザに速やかに認識させる必要がある。洗浄スイッチにこのような重要情報を表示することにより、ユーザが点検の要否を迅速に認識しやすくなる。
【００７３】
表示部は、複数のアイコンの表示状態により、２値情報として複数種類の制御状態を示してもよい。
【００７４】
表示部は、複数のアイコン模様が形成される表示シートと、表示シートに光を照射する照明部を含んでもよい。表示シートの色は、水洗式便器と同系色であってもよい。
表示シートを水洗式便器と同系色とすることにより、洗浄スイッチと水洗式便器の外観上の一体感を高めやすくなる。
【００７５】
水洗式便器を無線制御するための無線信号を受信する受信部、を更に備えてもよい。
【００７６】
水洗式便器に関し、水洗式便器を洗浄操作するために取り付けられる洗浄スイッチを備えてもよい。洗浄スイッチにおいては、水洗式便器の制御状態を表示する表示部が設置されてもよい。
【符号の説明】
【００７７】
１００  水洗式便器、  １０２  リモートコントローラー、  １０４  便器本体部、  １０６  タンク、  １０８  手洗台、  １１０  洗浄スイッチ、  １１２  固定部、  １１４  内固定部、  １１６  外固定部、  １１８  ハンドル、  １２０  操作部、  １２２  クリップ、  １２４  ハンドル軸、  １２６  アイコン、  １２８  制御部、  １３０  洗浄制御機構、  １３２  受信部、  １３４  表示部、  １３６  水洗式便器主要部、  １４６  表示シート、  １４８  表示ケース、  １５０  遮光ケース、  １５２  受光素子、  １５４  基板、  １５６  ＬＥＤ、  １５８  Ｏリング、  １６０  タンク壁、  １６２  ハンドル、  １６４  受信窓、  １６６  ボタン、  １６８  遮光板、  １７０  押下検出器、  １７２  スプリング、  １７４  押下部材。
【図１】
2019183643.tif 000003
【図２】
2019183643.tif 000004
【図３】
2019183643.tif 000005
【図４】
2019183643.tif 000006
【図５】
2019183643.tif 000007
【図６】
2019183643.tif 000008
【図７】
2019183643.tif 000009
【図８】
2019183643.tif 000010
【図９】
2019183643.tif 000011
【図１０】
2019183643.tif 000012
【図１１】
2019183643.tif 000013
【図１２】
2019183643.tif 000014
【図１３】
2019183643.tif 000015
【図１４】
2019183643.tif 000016
【図１５】
2019183643.tif 000017